(57)【特許請求の範囲】
【請求項１】
端末に用いられる情報プッシュ方法であって、
ユーザの動画情報に対する検索動作を記録するステップと、
前記ユーザの検索する動画情報が存在するか否かを特定するステップと、
前記ユーザの検索する動画情報が存在しない場合に、前記ユーザの動画情報に対する前記検索動作に基づいて、前記ユーザの動画に対する検索回数を計数するステップと、
動画に対する検索回数が第１所定閾値よりも大きい場合に、前記ユーザが前記動画の更新情報を取得し望むと特定するステップと、
前記ユーザが前記動画の更新情報を取得し望むと特定された場合に、前記動画を追跡するステップと、
前記動画が更新された場合に、更新情報を前記ユーザへプッシュするステップと、を含むことを特徴とする情報プッシュ方法。
【請求項２】
ユーザの動画情報に対する視聴履歴を記録するステップと、
前記ユーザの動画に対する視聴履歴に基づいて、前記ユーザの前記動画を視聴した回数を特定するステップと、
前記ユーザの前記動画を視聴した回数が第２所定閾値よりも大きい場合に、前記ユーザが前記動画の更新情報を取得し望むと特定するステップと、を含むことを特徴とする請求項１に記載の方法。
【請求項３】
前記動画が更新された場合に、更新情報を前記ユーザへプッシュするステップは、
前記動画が更新された場合に、前記動画が更新されたことをユーザへリマインドするリマインダーを通知バーに追加するステップ、又は、
前記動画が更新された場合に、ユーザが動画アプリケーションを起動すると、動画アプリケーションのページからポップアップしたウィンドウにより、前記動画が更新されたことをユーザへリマインドするステップ、又は、
前記動画が更新された場合に、前記動画が更新されたというメッセージリマインドを前記ユーザによって設定された連絡アカウントへプッシュするステップ、を含むことを特徴とする請求項１に記載の方法。
【請求項４】
端末に用いられる情報プッシュ装置であって、
ユーザの動画情報に対する操作動作を記録するように配置されるメッセージ記録モジュールと、
前記操作動作に基づいて前記ユーザが前記動画の更新情報を取得し望むか否かを特定するように配置される情報判断モジュールと、
前記ユーザが前記動画の更新情報を取得し望むと特定された場合に、前記動画を追跡するように配置される情報追跡モジュールと、
前記動画が更新された場合に、更新情報を前記ユーザへプッシュするように配置されるメッセージリマインドモジュールと、を備え、
前記情報判断モジュールは、
前記操作動作がユーザの動画情報に対する検索動作である場合に、前記ユーザの検索する動画情報が存在するか否かを特定するように配置される第１判断サブモジュールと、
前記ユーザの検索する動画情報が存在しない場合に、前記ユーザの動画情報に対する検索動作に基づいて、前記ユーザの動画に対する検索回数を計数するように配置される情報統計サブモジュールと、
動画に対する検索回数が第１所定閾値よりも大きい場合に、前記ユーザが前記動画の更新情報を取得し望むと特定するように配置される第２判断サブモジュールと、を備えることを特徴とする情報プッシュ装置。
【請求項５】
前記情報判断モジュールは、
前記操作動作がユーザの動画情報に対する視聴履歴である場合に、前記ユーザの動画に対する視聴履歴に基づいて、前記ユーザの前記動画を視聴した回数を特定するように配置される第３判断サブモジュールと、
前記ユーザの前記動画を視聴した回数が第２所定閾値よりも大きい場合に、前記ユーザが前記動画の更新情報を取得し望むと特定するように配置される第４判断サブモジュールと、を備えることを特徴とする請求項４に記載の装置。
【請求項６】
前記メッセージリマインドモジュールは、
前記動画が更新された場合に、前記動画が更新されたことをユーザへリマインドするリマインダーを通知バーに追加するように配置される第１リマインドサブモジュール、又は、
前記動画が更新された場合に、ユーザが動画アプリケーションを起動すると、動画アプリケーションのページからポップアップしたウィンドウにより、前記動画が更新されたことをユーザへリマインドするように配置される第２リマインドサブモジュール、又は、
前記動画が更新された場合に、前記動画が更新されたというメッセージリマインドを前記ユーザによって設定された連絡アカウントへプッシュするように配置される第３リマインドサブモジュール、を備えることを特徴とする請求項４に記載の装置。
【請求項７】
情報プッシュ装置であって、
プロセッサと、
前記プロセッサの実行可能なコマンドを記憶するためのメモリと、を備え、
前記プロセッサは、
ユーザの動画情報に対する検索動作を記録し、
前記ユーザの検索する動画情報が存在するか否かを特定し、
前記ユーザの検索する動画情報が存在しない場合に、前記ユーザの動画情報に対する検索動作に基づいて、前記ユーザの動画に対する検索回数を計数し、
動画に対する検索回数が第１所定閾値よりも大きい場合に、前記ユーザが前記動画の更新情報を取得し望むと特定し、
前記ユーザが前記動画の更新情報を取得し望むと特定された場合に、前記動画を追跡し、
前記動画が更新された場合に、更新情報を前記ユーザへプッシュするように配置されることを特徴とする情報プッシュ装置。
【発明の詳細な説明】
【技術分野】
【０００１】
本発明はコンピュータ技術分野に関し、特に情報プッシュ方法及び装置に関する。
【背景技術】
【０００２】
現在、多数のドラマは、シーズンに分けて放送される。ドラマの更新リマインドについて、現在、一つのシーズンにおける一話が定期的に更新された情報をリマインドするが、二つのシーズン間の合間に、長い間で対応する処理がないため、ユーザは長い時間待たざるを得ない。
【発明の概要】
【０００３】
本発明の実施例は情報プッシュ方法及び装置を提供する。前記技術案は下記である。
【０００４】
本発明の実施例の第１態様によれば、端末に用いられる情報プッシュ方法であって、
ユーザの動画情報に対する操作動作を記録するステップと、
前記操作動作に基づいて前記ユーザが前記動画の更新情報を取得しようとするか否かを特定するステップと、
前記ユーザが前記動画の更新情報を取得しようとすると特定された場合に、前記動画を追跡するステップと、
前記動画が更新された場合に、更新情報を前記ユーザへプッシュするステップと、を含む情報プッシュ方法が提供される。
【０００５】
一つの実施例において、前記操作動作は、ユーザの動画情報に対する検索動作、又はユーザの動画情報に対する視聴履歴を含む。
【０００６】
一つの実施例において、前記操作動作がユーザの動画情報に対する検索動作である場合に、前記操作動作に基づいて前記ユーザが前記動画の更新情報を取得しようとするか否かを特定するステップは、
前記ユーザの検索する動画情報が存在するか否かを特定するステップと、
前記ユーザの検索する動画情報が存在しない場合に、前記ユーザの動画情報に対する検索動作に基づいて、前記ユーザの動画に対する検索回数を計数するステップと、
動画に対する検索回数が第１所定閾値よりも大きい場合に、前記ユーザが前記動画の更新情報を取得し望むと特定するステップと、を含む。
【０００７】
一つの実施例において、前記操作動作がユーザの動画情報に対する視聴履歴である場合に、前記操作動作に基づいて前記ユーザが前記動画の更新情報を取得しようとするか否かを特定するステップは、
前記ユーザの動画に対する視聴履歴に基づいて、前記ユーザの前記動画を視聴した回数を特定するステップと、
前記ユーザの前記動画を視聴した回数が第２所定閾値よりも大きい場合に、前記ユーザが前記動画の更新情報を取得し望むと特定するステップと、を含む。
【０００８】
一つの実施例において、前記動画が更新された場合に、更新情報を前記ユーザへプッシュするステップは、
前記動画が更新された場合に、前記動画が更新されたことをユーザへリマインドするリマインダーを通知バーに追加するステップ、又は、
前記動画が更新された場合に、ユーザが動画アプリケーションを起動すると、動画アプリケーションのページからポップアップしたウィンドウにより、前記動画が更新されたことをユーザへリマインドするステップ、又は、
前記動画が更新された場合に、前記動画が更新されたというメッセージリマインドを前記ユーザによって設定された連絡アカウントへプッシュするステップ、を含む。
【０００９】
本発明の実施例の第２態様によれば、端末に用いられる情報プッシュ装置であって、
ユーザの動画情報に対する操作動作を記録するように配置されるメッセージ記録モジュールと、
前記操作動作に基づいて前記ユーザが前記動画の更新情報を取得しようとするか否かを特定するように配置される情報判断モジュールと、
前記ユーザが前記動画の更新情報を取得しようすると特定された場合に、前記動画を追跡するように配置される情報追跡モジュールと、
前記動画が更新された場合に、更新情報を前記ユーザへプッシュするように配置されるメッセージリマインドモジュールと、を備える情報プッシュ装置が提供される。
【００１０】
一つの実施例において、前記情報判断モジュールは、
前記操作動作がユーザの動画情報に対する検索動作である場合に、前記ユーザの検索する動画情報が存在するか否かを特定するように配置される第１判断サブモジュールと、
前記ユーザの検索する動画情報が存在しない場合に、前記ユーザの動画情報に対する検索動作に基づいて、前記ユーザの動画に対する検索回数を計数するように配置される情報統計サブモジュールと、
動画に対する検索回数が第１所定閾値よりも大きい場合に、前記ユーザが前記動画の更新情報を取得し望むと特定するように配置される第２判断サブモジュールと、を備える。
【００１１】
一つの実施例において、前記情報判断モジュールは、
前記操作動作がユーザの動画情報に対する視聴履歴である場合に、前記ユーザの動画に対する視聴履歴に基づいて、前記ユーザの前記動画を視聴した回数を特定するように配置される第３判断サブモジュールと、
前記ユーザの前記動画を視聴した回数が第２所定閾値よりも大きい場合に、前記ユーザが前記動画の更新情報を取得し望むと特定するように配置される第４判断サブモジュールと、を備える。
【００１２】
一つの実施例において、前記メッセージリマインドモジュールは、
前記動画が更新された場合に、前記動画が更新されたことをユーザへリマインドするリマインダーを通知バーに追加するように配置される第１リマインドサブモジュール、又は、
前記動画が更新された場合に、ユーザが動画アプリケーションを起動すると、動画アプリケーションのページからポップアップしたウィンドウにより、前記動画が更新されたことをユーザへリマインドするように配置される第２リマインドサブモジュール、又は、
前記動画が更新された場合に、前記動画が更新されたというメッセージリマインドを前記ユーザによって設定された連絡アカウントへプッシュするように配置される第３リマインドサブモジュール、を備える。
【００１３】
本発明の実施例の第３態様によれば、情報プッシュ装置であって、
プロセッサと、
前記プロセッサの実行可能なコマンドを記憶するためのメモリと、を備え、
前記プロセッサは、
ユーザの動画情報に対する操作動作を記録し、
前記操作動作に基づいて前記ユーザが前記動画の更新情報を取得しようとするか否かを特定し、
前記ユーザが前記動画の更新情報を取得しようとすると特定された場合に、前記動画を追跡し、
前記動画が更新された場合に、更新情報を前記ユーザへプッシュするように配置される情報プッシュ装置が提供される。
【００１４】
本発明の実施例で提供される技術案は、下記の有利な効果を奏する。
【００１５】
ユーザの動画情報に対する操作動作を記録し、前記操作動作に基づいて、前記ユーザが前記動画の更新情報を取得しようとするか否かを特定し、前記ユーザが前記動画の更新情報を取得しようとすると特定された場合には、前記動画を追跡し、前記動画が更新された場合には、更新情報を前記ユーザへプッシュする技術案の実現によって、ユーザの動画視聴動作をインテリジェントに認識して、タイムリーな動画更新知らせをユーザへ提供することができるとともに、ユーザの操作動作に基づいて情報のプッシュを行って、ユーザの視聴愛好をより正確に反映することができる。
【００１６】
理解すべきこととしては、上記の普通な記載と下記の詳細記載は単に例示的、解釈的なものに過ぎず、本発明を制限することができない。
【図面の簡単な説明】
【００１７】
ここの図面は明細書に併せて本発明の一部を構成し、本発明に該当する実施例を示し、明細書とともに本発明の原理を解釈するものである。
【図１】一方の例示の実施例に示す情報プッシュ方法によるフローチャートである。
【図２】他方の例示の実施例に示す情報プッシュ方法によるフローチャートである。
【図３】一方の例示の実施例に示す情報プッシュ装置によるブロック図である。
【図３Ａ】図３に示す実施例に示す情報判断モジュールのブロック図である。
【図３Ｂ】図３に示す実施例に示す情報判断モジュールのブロック図である。
【図３Ｃ】図３に示す実施例に示すメッセージリマインドモジュールのブロック図である。
【図４】一方の例示の実施例に示す情報プッシュ装置のブロック図である。  上記図面によれば、本発明の明確な実施例が示されたが、下記にはより詳細に記載される。これらの図面及び文字記載は、任意の方式で本発明の思想範囲を制限するものではなく、特定の実施例を参照することによって当業者へ本発明の概念を説明するためのものである。
【発明を実施するための形態】
【００１８】
ここに、例示の実施例を詳しく説明するが、その例示は図面に示される。以下の記載は図面に関する場合に、別に示されない限り、異なる図面における同一数字が同一又は類似な要素を示す。以下の例示の実施例に記載の実施形態は、本発明と一致する全ての実施形態を代表するものではない。逆に、これらは単に添付の特許請求の範囲に詳細に記載されるような、本発明のいくつかの態様に一致する装置及び方法の例に過ぎない。
【００１９】
図１は一方の例示の実施例に示す情報プッシュ方法によるフローチャートであり、例えばスマートテレビ、タブレットＰＣ、スマートフォン又はパソコン等の端末に用いられ、下記のステップを含んでもよい。
【００２０】
ステップ１０１では、ユーザの動画情報に対する操作動作を記録する。
【００２１】
ステップ１０２では、前記操作動作に基づいて前記ユーザが前記動画の更新情報を取得しようとするか否かを特定する。
【００２２】
ステップ１０３では、前記ユーザが前記動画の更新情報を取得しようとすると特定された場合に、前記動画を追跡する。
【００２３】
ステップ１０４では、前記動画が更新された場合に、更新情報を前記ユーザへプッシュする。
【００２４】
このように、本発明の実施例で提供される情報プッシュ方法においては、ユーザの動画情報に対する操作動作を記録し、前記操作動作に基づいて、前記ユーザが前記動画の更新情報を取得しようとするか否かを特定し、前記ユーザが前記動画の更新情報を取得しようとすると特定された場合には、前記動画を追跡し、前記動画が更新された場合には、更新情報を前記ユーザへプッシュする技術案の実現によって、ユーザの動画視聴動作をインテリジェントに認識して、タイムリーな動画更新知らせをユーザへ提供することができるとともに、ユーザの操作動作に基づいて情報のプッシュを行って、ユーザの視聴愛好をより正確に反映することができる。
【００２５】
図２は他方の例示の実施例に示す情報プッシュ方法によるフローチャートであり、該方法は例えばスマートテレビ、タブレットＰＣ、スマートフォン又はパソコン等の端末に用いられ、下記のステップを含んでもよい。
【００２６】
ステップ２０１では、ユーザの動画情報に対する操作動作を記録する。
【００２７】
一つの実施例において、前記操作動作は、ユーザの動画情報に対する検索動作、又はユーザの動画情報に対する視聴履歴を含む。
【００２８】
ステップ２０２では、前記操作動作に基づいてユーザが前記動画の更新情報を取得しようとするか否かを特定し、
ユーザが前記動画の更新情報を取得しようとすると特定された場合には、ステップ２０３を実行し、
ユーザが前記動画の更新情報を取得しようとしないと特定された場合には、ステップ２０１に戻して実行する。
【００２９】
一つの実施例において、前記操作動作がユーザの動画情報に対する検索動作である場合に、前記操作動作に基づいてユーザが前記動画の更新情報を取得しようとするか否かを特定するステップは、
ユーザの検索する動画情報が存在するか否かを特定するステップと、
ユーザの検索する動画情報が存在しない場合に、ユーザの動画情報に対する検索動作に基づいて、ユーザの動画に対する検索回数を計数するステップと、
動画に対する検索回数が第１所定閾値よりも大きい場合に、前記ユーザが前記動画の更新情報を取得し望むと特定するステップと、を含んでもよい。
【００３０】
ここで、第１所定閾値を予め設定することができ、例えば、該第１所定閾値を３としてもよく、一つの動画についてユーザが三回以上検索した場合に、ユーザが該動画を視聴する希望が非常に強いと考えられる。当然のことながら、本発明の種々の実施例では、該閾値を上記のように制限する意図はなく、実際の状況に応じて該閾値を調整することができる。
【００３１】
一つの実施例において、前記操作動作がユーザの動画情報に対する視聴履歴である場合に、前記操作動作に基づいてユーザが前記動画の更新情報を取得しようとするか否かを特定するステップは、
前記ユーザの動画に対する視聴履歴に基づいて、前記ユーザの前記動画を視聴した回数を特定するステップと、
前記ユーザの前記動画を視聴した回数が第２所定閾値よりも大きい場合に、前記ユーザが前記動画の更新情報を取得し望むと特定するステップと、を含んでもよい。
【００３２】
ここで、第２所定閾値を予め設定することができ、例えば、該第２所定閾値を８としてもよく、一つのシーズンのドラマについてユーザが８話以上視聴した場合に、ユーザがドラマを連続的に追いかけて見ると考えられる。当然のことながら、本発明の種々の実施例では、該閾値を上記のように制限する意図はなく、実際の状況に応じて該閾値を調整することができる。
【００３３】
ステップ２０３では、ユーザが前記動画の更新情報を取得しようとすると特定された場合に、前記動画を追跡する。
【００３４】
一つの実施例において、ユーザが前記動画の更新情報を取得しようとすると特定された場合に、該動画の更新状態を追跡するように該動画をマークする。
【００３５】
ステップ２０４では、前記動画が更新された場合に、更新情報を前記ユーザへプッシュする。
【００３６】
一つの実施例において、前記動画が更新された場合に、下記の三つの方式で、ユーザを知らせるように動画が更新された情報をユーザへプッシュすることができる。
【００３７】
前記動画が更新された場合に、前記動画が更新されたことをユーザへリマインドするリマインダーを通知バーに追加し、又は、
前記動画が更新された場合に、ユーザが動画アプリケーションを起動すると、動画アプリケーションのページからポップアップしたウィンドウにより、前記動画が更新されたことをユーザへリマインドし、又は、
前記動画が更新された場合に、前記動画が更新されたというメッセージリマインドを前記ユーザによって設定された連絡アカウントへプッシュする。
【００３８】
本発明の実施例において、前記更新情報は、動画が更新されたウェブサイト、更新された動画の名称、更新された動画の内容概要等を含む。
【００３９】
このように、本発明の実施例で提供される情報プッシュ方法においては、ユーザの動画情報に対する操作動作を記録し、前記操作動作に基づいて、前記ユーザが前記動画の更新情報を取得しようとするか否かを特定し、前記ユーザが前記動画の更新情報を取得しようとすると特定された場合には、前記動画を追跡し、前記動画が更新された場合には、更新情報を前記ユーザへプッシュする技術案の実現によって、ユーザの動画視聴動作をインテリジェントに認識して、タイムリーな動画更新知らせをユーザへ提供することができるとともに、ユーザの操作動作に基づいて情報のプッシュを行って、ユーザの視聴愛好をより正確に反映することができる。
【００４０】
以下、具体的な適用シーンを併せて上記技術案を説明する。
【００４１】
シーン１：ユーザＡは、端末にインストールされたある動画サイトによって動画Ａを視聴する希望があるが、ユーザが検索した当時に、該動画サイトに該動画Ａがアップロードされておらず、該動画サイトは、該ユーザＡの動画Ａに対する検索動作を記録し、記録した結果として、ユーザＡの動画Ａに対する検索動作が２回以上であることを見出した場合に、該ユーザＡが本当に動画Ａを視聴したいと特定され、該動画サイトは、該動画Ａをマークして追跡するようになり、該動画サイトに該動画Ａがアップロードされたとたんに、ユーザＡを知らせるように該動画Ａの更新情報をユーザＡへプッシュする。このように、ユーザＡは、該動画Ａの更新情報に常に注意を払っている必要はなく、動画サイトは、ユーザＡの検索動作に基づいて、ユーザＡの視聴したい動画の情報をインテリジェントに記録するとともに、更新をタイムリーにプッシュすることができる。
【００４２】
シーン２：ユーザＢは端末にインストールされたある動画サイトを介してシーズン放送ドラマＢを視聴し、該シーズン放送ドラマＢは終了せず更新されており、該動画サイトはユーザの該シーズン放送ドラマに対する視聴履歴を記録し、記録した結果として、ユーザＢが該シーズン放送ドラマＢについて６話以上またはシーズン全体を視聴したことを見出した場合に、該ユーザＢがドラマを追いかけて見ると特定され、該動画サイトは該シーズン放送ドラマＢをマークして追跡し、該動画サイトに該シーズン放送ドラマＢの新シーズン又は現在シーズンの新な１話がアップロードされたとたんに、ユーザを知らせるように、該シーズン放送ドラマＢの更新情報をユーザＢへプッシュする。このように、ユーザＢはシーズン放送ドラマの更新時間を意図的に覚えている必要はなく、動画サイトは、ユーザＢの視聴動作に基づいて、ユーザの意思をインテリジェントに分析することによって、ユーザへ視聴したい動画の更新情報をタイムリーかつ精確に推薦することができる。
【００４３】
下記は本発明の装置実施例で、本発明の方法実施例の実行に用いられることができる。本発明の装置実施例に開示されていない詳細については、本発明の方法実施例を参照する。
【００４４】
図３は一方の例示の実施例に示す情報プッシュ装置３００によるブロック図であり、該情報プッシュ装置３００は、ソフトウェア、ハードウェア又は両者の組み合わせによって、端末の一部もしくは全部として実現されることができ、該端末として、スマートテレビ、タブレットPＣ、スマートフォン又はパソコン等であってもよい。該情報プッシュ装置３００は、
ユーザの動画情報に対する操作動作を記録するように配置されるメッセージ記録モジュール３１０と、
前記操作動作に基づいて前記ユーザが前記動画の更新情報を取得しようとするか否かを特定するように配置される情報判断モジュール３２０と、
前記ユーザが前記動画の更新情報を取得しようすると特定された場合に、前記動画を追跡するように配置される情報追跡モジュール３３０と、
前記動画が更新された場合に、更新情報をユーザへプッシュするように配置されるメッセージリマインドモジュール３４０と、を備えてもよい。
【００４５】
好ましくは、図３Ａは図３に示す実施例に示す情報判断モジュール３２０のブロック図であり、図３Ａを参照して、情報判断モジュール３２０は、
前記操作動作がユーザの動画情報に対する検索動作である場合に、前記ユーザの検索する動画情報が存在するか否かを特定するように配置される第１判断サブモジュール３２０ａと、
前記ユーザの検索する動画情報が存在しない場合に、前記ユーザの動画情報に対する検索動作に基づいて、前記ユーザの動画に対する検索回数を計数するように配置される情報統計サブモジュール３２０ｂと、
動画に対する検索回数が第１所定閾値よりも大きい場合に、前記ユーザが前記動画の更新情報を取得し望むと特定するように配置される第２判断サブモジュール３２０ｃと、を備えてもよい。
【００４６】
好ましくは、図３Ｂは図３に示す実施例に示す情報判断モジュール３２０のブロック図であり、図３Ｂを参照して、情報判断モジュール３２０は、
前記操作動作がユーザの動画情報に対する視聴履歴である場合に、前記ユーザの動画に対する視聴履歴に基づいて、前記ユーザの前記動画を視聴した回数を特定するように配置される第３判断サブモジュール３２０ｄと、
前記ユーザの前記動画を視聴した回数が第２所定閾値よりも大きい場合に、前記ユーザが前記動画の更新情報を取得し望むと特定するように配置される第４判断サブモジュール３２０ｅと、を備えてもよい。
【００４７】
好ましくは、図３Ｃは図３に示す実施例に示すメッセージリマインドモジュール３４０のブロック図であり、図３Ｃを参照して、該メッセージリマインドモジュール３４０は、
前記動画が更新された場合に、前記動画が更新されたことをユーザへリマインドするリマインダーを通知バーに追加するように配置される第１リマインドサブモジュール３４０ａ、又は、
前記動画が更新された場合に、ユーザが動画アプリケーションを起動すると、動画アプリケーションのページからポップアップしたウィンドウにより、前記動画が更新されたことをユーザへリマインドするように配置される第２リマインドサブモジュール３４０ｂ、又は、
前記動画が更新された場合に、前記動画が更新されたというメッセージリマインドを前記ユーザによって設定された連絡アカウントへプッシュするように配置される第３リマインドサブモジュール３４０ｃ、を備えてもよい。
【００４８】
このように、本発明の実施例で提供される情報プッシュ装置においては、ユーザの動画情報に対する操作動作を記録し、前記操作動作に基づいて、前記ユーザが前記動画の更新情報を取得しようとするか否かを特定し、前記ユーザが前記動画の更新情報を取得しようとすると特定された場合には、前記動画を追跡し、前記動画が更新された場合には、更新情報を前記ユーザへプッシュする技術案の実現によって、ユーザの動画視聴動作をインテリジェントに認識して、タイムリーな動画更新知らせをユーザへ提供することができるとともに、ユーザの操作動作に基づいて情報のプッシュを行って、ユーザの視聴愛好をより正確に反映することができる。
【００４９】
上記実施例における装置について、各モジュールが操作を実行する具体的方式は、該方法に関する実施例において詳しく記載されたが、ここに詳細に説明されない。
【００５０】
本発明の実施例では、情報プッシュ装置であって、
プロセッサと、
前記プロセッサの実行可能なコマンドを記憶するためのメモリと、を備え、
前記プロセッサは、
ユーザの動画情報に対する操作動作を記録し、
前記操作動作に基づいて前記ユーザが前記動画の更新情報を取得しようとするか否かを特定し、
前記ユーザが前記動画の更新情報を取得しようとすると特定された場合に、前記動画を追跡し、
前記動画が更新された場合に、更新情報を前記ユーザへプッシュするように配置される情報プッシュ装置が更に提供される。
【００５１】
図４を参照して、一方の例示の実施例に示す情報プッシュ用の装置４００のブロック図が示される。例えば、装置４００として、モバイルフォン、コンピュータ、デジタル放送端末、メッセージ送受信装置、ゲームコンソール、タブレットデバイス、医療装置、フィットネス機器、パーソナルデジタルアシスタント等であってもよい。
【００５２】
図４を参照し、端末４００は、処理部材４０２、メモリ４０４、電源部材４０６、マルチメディア部材４０８、オーディオ部材４１０、入力/出力（I/ O）インターフェース４１０、センサ部材４１４及び通信部材４１６のうちの一つまたは複数を備えてもよい。
【００５３】
処理部材４０２は一般的に、装置４００の全体操作、例えば表示、電話呼び出し、データ通信、カメラ操作及び記録操作に関連付けられる操作を制御する。処理部材４０２は、上記方法の全部または一部のステップを完了するように、一つまたは複数のプロセッサ４２０を備えてコマンドを実行するようにしてもよい。また、処理部材４０２は、他の部材とのインタラクティブを処理することに寄与するように、一つまたは複数のモジュールを備えてもよい。例えば、処理部材４０２は、マルチメディア部材４０８とのインタラクティブに寄与するように、マルチメディアモジュールを備えてもよい。
【００５４】
メモリ４０４は、各タイプのデータを記憶し、端末４００での操作をサポートするように配置される。これらのデータの例示として、端末４００で操作するための任意のアプリケーションや方法のコマンド、連絡先データ、電話帳データ、メッセージ、写真、ビデオ等を含む。メモリ４０４は、任意タイプの揮発性又は非揮発性の記憶装置又はこれらの組み合わせによって実現され、例えばスタティックＲＡＭ（ＳＲＡＭ）、電気的消去可能なプログラム可能ＲＯＭ（ＥＥＰＲＯＭ）、消去可能ＰＲＯＭ（ＥＰＲＯＭ）、プログラマブルＲＯＭ（ＰＲＯＭ）、読み取り専用メモリ（ＲＯＭ）、磁気メモリ、フラッシュメモリ、ディスク又は光ディスクである。
【００５５】
電力部材４０６は、装置４００の各部材へ電力を提供する。電力部材４０６は、電源管理システム、一つ又は複数の電源、及び他の装置４００に対する電力の生成、管理、割り当てに関する部材を備えてもよい。
【００５６】
マルチメディア部材４０８は、装置４００とユーザとの間に出力インターフェースを提供するディスプレイを備える。いくつかの実施例において、ディスプレイは、液晶表示器（ＬＣＤ）とタッチパネル（ＴＰ）を備えてもよい。ディスプレイがタッチパネスを備える場合には、ディスプレイは、ユーザからの入力信号を受信するように、タッチパネルとして実現されることができる。タッチパネスは、タッチ、スライド及びタッチパネルにおけるジェスチャーを感知するように、一つ又は複数のタッチセンサを備える。タッチセンサは、タッチやスライド動作の境界を感知するだけでなく、タッチやスライドの操作に関する持続時間と圧力を検出することができる。いくつかの実施例において、マルチメディア部材４０８は、一つのフロントカメラ及び/又はリアカメラを備える。装置４００が操作モード、例えば撮影モードやビデオモードである場合に、フロントカメラ及び/又はリアカメラは、外部からのマルチメディアデータを受信することができる。各々のフロントカメラとリアカメラとしては、固定の光学レンズシステム、又は焦点距離及び光学ズーム能力を有するものであってもよい。
【００５７】
オーディオ部材４１０は、オーディオ信号を出力且つ/又は入力するように配置される。例えば、オーディオ部材４１０は、一つのマイク（ＭＩＣ）を備え、マイクは、装置４００が操作モード、例えばコールモード、記録モード及び音声認識モードである場合に、外部からのオーディオ信号を受信するように配置される。受信されたオーディオ信号は、さらにメモリ４０４に記憶され、又は通信部材４１６を介して送信されることができる。いくつかの実施例において、オーディオ部材４１０は、オーディオ信号を出力するためのスピーカーを更に備える。
【００５８】
Ｉ/Ｏインターフェース４１２は、処理部材４０２と周辺インターフェースモジュールとの間にインターフェースを提供し、上記周辺インターフェースモジュールとしては、キーボード、クリックホイール、ボタン等であってもよい。これらのボタンは、ホームページボタン、音量ボタン、起動ボタン及びロックボタンを含むが、それらに限定されるものではない。
【００５９】
センサ部材４１４は、装置４００に様々な態様の状態評価を提供するように、一つ又は複数のセンサを備える。例えば、センサ部材４１４は、装置４００のオン/オフ状態、部材の相対位置を検出することができ、例えば部材が装置４００の表示器及びキーパッドであり、センサ部材４１４は、装置４００又は装置４００の一つの部材の位置変化、ユーザと装置４００との接触の存在又は不存在、装置４００の方位又は加速/減速並びに装置４００の温度変化を検出することができる。センサ部材４１４は、何ら物理的な接触もない場合に近傍の物体の存在を検出するように配置される近接センサを備えてもよい。センサ部材４１４は、イメージングアプリに用いられるように、光センサ、例えばＣＭＯＳ又はＣＣＤ画像センサを備えてもよい。いくつかの実施例において、該センサ部材４１４は、加速度センサ、ジャイロスコープセンサ、磁気センサ、圧力センサ又は温度センサを備えてもよい。
【００６０】
通信部材４１６は、装置４００と他の装置との有線又は無線による通信に寄与するように配置される。装置４００は、通信規格、例えば、ＷＩＦＩ、２Ｇや３Gといった通信規格、又はそれらの組み合わせによる通信規格に従った無線ネットワークに接続されることができる。一つの例示の実施例において、通信部材４１６は、放送チャンネルを介して外部放送管理システムからの放送信号又は放送関連情報を受信する。一つの例示の実施例において、通信部材４１６は、近距離通信を促進するように、近距離通信（ＮＦＣ）モジュールをさらに備える。例えば、NFCモジュールは、無線周波数識別（ＲＦＩＤ）技術、赤外線データ協会（ＩｒＤＡ）技術、超広帯域（ＵＷＢ）技術、ブルートゥース（ＢＴ）技術及び他の技術によって実現されることができる。
【００６１】
例示の実施例において、装置４００は、一つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサデバイス又は他の電子素子によって実現され、上記情報プッシュ方法を実行するためのものである。
【００６２】
例示の実施例において、コマンドを含む非一時的なコンピュータ可読記憶媒体がさらに提供され、例えばコマンドを含むメモリ４０４であり、上記コマンドが上記方法を完了するように、装置４００のプロセッサ４２０によって実行されることができる。例えば、非一時的なコンピュータ可読記憶媒体としては、ＲＯＭ、ランダムアクセスメモリ（ＲＡＭ）、ＣＤ-ＲＯＭ、テープ、フレキシブルディスク及び光データ保存装置等であってもよい。
【００６３】
非一時的なコンピュータ可読記憶媒体であって、記憶媒体におけるコマンドが装置４００のプロセッサによって実行される場合に、装置４００に情報プッシュ方法を実行可能にさせる。
【００６４】
当業者は、明細書を考慮し、かつここに開示の発明を実践した後、本発明の他の実施案を容易に想到する。本願は本発明の任意変形、用途又は適応的変化をカバーすることを目的とする。これらの変形、用途又は適応的変化は、本発明の一般的原理に従うとともに、本発明に開示されない当分野で公知常識又は汎用技術手段を含む。明細書及び実施例は単に例示のものとみなすが、本発明の実質的範囲及び精神は下記の特許請求の範囲に指摘される。
【００６５】
理解すべきこととして、本発明は、上記記載され、かつ図面に示す精確な構成に限定されるものではなく、要旨を逸脱しない範囲において様々な補正及び変更が可能である。本発明の範囲は添付の特許請求の範囲のみに制限される。
【００６６】
本願は、出願番号が２０１５１０４４１２４４．８で、出願日が２０１５年０７月２４日である中国特許出願に基づいて提出されるとともに、該中国特許出願の優先権を要求するものである。該中国特許出願の全部内容はここに参考として引用される。
【図１】
0006306269.tif 000002
【図２】
0006306269.tif 000003
【図３】
0006306269.tif 000004
【図３Ａ】
0006306269.tif 000005
【図３Ｂ】
0006306269.tif 000006
【図３Ｃ】
0006306269.tif 000007
【図４】
0006306269.tif 000008